(57)【要約】【課題】  デジタル万引きを抑制可能な撮像装置を提供する。【解決手段】  下向き検出センサ２２からは、レンズ１４の向きが鉛直下向きから３０°の範囲内であれば下向き検出信号Ｓ２出力される。下向き検出センサ２２から下向き検出信号Ｓ２が入力されると、ＣＰＵ５０は、外部メモリ６０に記録されている画像データを読み込み、読み込んだ画像データに基づいてＬＣＤ１８へ再生表示を行なうための指示を出力する。これにより、ＬＣＤ１８には、撮影対象のスルー画像表示は行なわれず、外部メモリ６０に記録されていた画像データに基づく画像が再生表示される。【選択図】  図６
2005333339.tif 000002
【特許請求の範囲】
【請求項１】
撮像用レンズと、
前記撮像用レンズからの光を受けて画像の取り込みを可能とされた撮像手段と、
前記撮像手段により取り込まれた画像を記録する記録手段と、
前記記録手段で記録された画像の再生表示を可能とされた表示部と、
前記撮像用レンズの向きが、鉛直下向きから３０度以内であるかどうかを検出可能な下向き検出手段と、
前記下向き検出手段により前記撮像用レンズの向きが鉛直下向きから３０度以内であると検出された場合に、前記表示部への前記記録手段で記録された画像の再生表示を行なう再生表示実行手段と、
を備えた撮像装置。
【請求項２】
前記下向き検出手段により前記撮像用レンズの向きが鉛直下向きから３０度以内であると検出された場合に、前記撮像手段による画像の取り込みを禁止する撮影禁止手段、をさらに備えたことを特徴とする、請求項１に記載の撮像装置。
【請求項３】
前記撮像手段による画像の取り込みが禁止された場合に、撮影不可であることを示す撮影不可情報を出力する撮影不可情報出力手段、をさらに備えたことを特徴とする、請求項２に記載の撮像装置。
【発明の詳細な説明】
【技術分野】
【０００１】
本発明は、撮像装置に係り、特に、取り込まれた画像を表示可能な表示部を備えた撮像装置に関する。
【背景技術】
【０００２】
近年、デジタルカメラなどの撮像装置が普及し、あらゆるものを手軽に撮影して、撮影画像を入手することができるようになってきている。これに伴って、いわゆるデジタル万引きも増加の傾向にある。デジタル万引きとは、書店などで販売されている書籍、雑誌などを撮影して、書籍、雑誌などに記載されている情報を持ち去る行為である。
【０００３】
そこで、このデジタル万引きの抑制が求められるが、未だ対応技術は開発されていない。例えば、特許文献１には、書籍の万引き防止のために書籍に万引き防止用のタグを実装する技術が提示されているが、この技術では、撮像装置で書籍の情報を撮影して持ち帰ることを防止することはできない。
【特許文献１】特開２００２−３３７４８２号公報
【発明の開示】
【発明が解決しようとする課題】
【０００４】
本発明は、上記事実を考慮して成されたものであり、デジタル万引きを抑制可能な撮像装置を提供することを目的とする。
【課題を解決するための手段】
【０００５】
上記課題を解決するために、請求項１に記載の撮像装置は、撮像用レンズと、前記撮像用レンズからの光を受けて画像の取り込みを可能とされた撮像手段と、前記撮像手段により取り込まれた画像を記録する記録手段と、前記記録手段で記録された画像の再生表示を可能とされた表示部と、前記撮像用レンズの向きが、鉛直下向きから３０度以内かどうかを検出可能な下向き検出手段と、前記下向き検出手段により前記撮像用レンズの向きが鉛直下向きから３０度以内であると検出された場合に、前記表示部への前記記録手段で記録された画像の再生表示を行なう再生表示実行手段と、を含んで構成されている。
【０００６】
本発明の撮像装置は、一般的な撮像装置と同様に、撮像手段により画像を取り込み、取り込んだ画像を記録手段によって記録するものである。通常、書店などで書籍の内容を撮影する場合には、該当の頁を開いた状態で書籍を下に置いて、撮像装置の撮像用レンズを書籍に向けて撮影する。
【０００７】
そこで、本発明の撮像装置では、下向き検出手段で撮像レンズの向きが鉛直下向きから３０度以内かどうかを検出し、撮像用レンズの向きが鉛直下向きから３０度以内であると検出された場合に、表示部へ撮像対象を表示させずに、既に記録手段によって記録されている画像を再生表示する。これにより、下に置いた書籍を撮影する場合には、表示部とは異なるファインダを覗いて撮影するか、撮像対象を表示部やファインダで確認せずに撮影することになり、撮影がし難くなる。したがって、書店で販売されている書籍を下に置いて安易に撮影することは難しくなり、デジタル万引きを抑制することができる。
【０００８】
なお、本発明の撮像装置は、請求項２に記載のように、前記下向き検出手段により前記撮像用レンズの向きが鉛直下向きから３０度以内であると検出された場合に、前記撮像手段による画像の取り込みを禁止する撮影禁止手段、をさらに備えたことを特徴とすることもできる。
【０００９】
請求項２の撮像装置によれば、下向き検出手段により撮像用レンズの向きが鉛直下向きから３０度以内であると検出された場合に、撮影禁止手段で撮像手段による画像の取り込みが禁止されるので、下に置いた書籍を撮影することはできす、デジタル万引きを抑制することができる。
【００１０】
また、本発明の撮像装置は、請求項３に記載のように、前記撮像手段による画像の取り込みが禁止された場合に、撮影不可であることを示す撮影不可情報を出力する撮影不可情報出力手段、をさらに備えたことを特徴とすることもできる。
【００１１】
請求項３の撮像装置では、撮像手段での画像の取り込みが禁止された場合に、撮影不可であることを示す撮影不可情報が出力される。ここでの撮影不可情報の出力は、表示部への表示、警告ランプの点灯、警告音の発生などの態様で行なわれる。このように、撮影不可情報が出力されることにより、ユーザーは、撮影不可であることを認識することができる。
【発明の効果】
【００１２】
以上説明したように、本発明の撮像装置によれば、書店で販売されている書籍を下に置いて安易に撮影することは難しくなり、デジタル万引きを抑制することができる。
【発明を実施するための最良の形態】
【００１３】
以下、図面を参照して本発明の撮像装置の実施形態について説明する。本実施形態では、撮像装置としてデジタルカメラを例に説明する。
【００１４】
本実施形態のデジタルカメラ１０は、図１（Ａ）に示すように、筐体１２を備え、前面にレンズ１４、ファインダ窓２１、上面にレリーズボタン１６を備える。また、図１（Ｂ）に示すように、背面に液晶ディスプレイ（以下「ＬＣＤ」という）１８、ファインダ２０、電源ＳＷ２４、及び、その他各種の入力を行うための複数の入力キー２６を備える。
【００１５】
ＬＣＤ１８には、デジタルカメラ１０に取り込まれた画像データを動画像的に連続表示するスルー画像表示、撮影により取り込まれ後述する外部メモリ６０に記録されている画像の表示（以下「再生表示」という）、その他各種のメニュー画面、メッセージなどの表示が可能とされている。
【００１６】
また、本実施の形態では、レリーズボタン１６が押下されると、ＡＥ（Automatic Exposure、自動露出）機能が働いて露出状態（シャッタースピード、絞りの状態）が設定された後、ＡＦ（Auto Focus、自動合焦）機能が働いて合焦制御され、その後、露光（撮影）が行われる。
【００１７】
図２にデジタルカメラ１０の制御系の概略ブロック図を示す。デジタルカメラ１０には、レンズ１４を通過する光量を調整する絞り３２、光の通過時間を調整するシャッタ３４、及び、光を光電変換してアナログ画像信号を出力するＣＣＤ３６が備えられている。
【００１８】
ＣＣＤ３６はアナログ信号処理部３８と接続され、アナログ信号処理部３８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部４２は、入力されたデジタル信号に対して各種の処理を行い、デジタル画像データを生成する。
【００１９】
また、デジタルカメラ１０には、ＣＰＵ５０、内部メモリ５２、表示制御部５４、記録制御部５６、が備えられている。前述のデジタル信号処理部４２、ＣＰＵ５０、内部メモリ５２、表示制御部５４、記録制御部５６は、バス５９を介して相互に接続されている。
【００２０】
ＣＰＵ５０は各種のプログラムを実行するなどしてデジタルカメラ１０全体の制御を行う。ＣＰＵ５０は、電源ＳＷ２４、入力キー２６、レリーズボタン１６と接続されており、ＣＰＵ５０へは、これらの各部から各種の指示が入力される。また、ＣＰＵ５０は下向き検出センサ２２と接続されている。下向き検出センサ２２は、図３に示すように、重り７４及び重り受け壁７６を備える。そして、図４に示すように、レンズ１４の向きが鉛直下向きから３０°の範囲内であれば、重り７４が重り受け壁７６の下向き範囲内Ｈ１に当接（図３参照）して下向き検出信号Ｓ２がＣＰＵ５０へ出力される。また、レンズ１４の向きが鉛直下向きから３０°の範囲外であれば重り７４が重り受け壁７６の下向き範囲外Ｈ２に当接（図３参照）して非下向き検出信号Ｓ３がＣＰＵ５０へ出力される。すなわち、下向き検出センサ２２からは、レンズ１４の向きが鉛直下向きから３０°の範囲内であれば下向き検出信号Ｓ２が出力され、レンズ１４の向きが鉛直下向きから３０°の範囲外であれば非下向き検出信号Ｓ３が出力される。
【００２１】
内部メモリ５２にはデジタル信号処理部４２で生成されたデジタル画像データ、デジタルカメラ１０の制御用の各種プログラム等が記憶されている。記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための所定の処理を行う。
【００２２】
さらに、デジタルカメラ１０には、図２に示すように、レンズ１４を駆動させるためのレンズ駆動部６２、絞り３２を駆動させるための絞り駆動部６４、シャッタ３４を駆動させるためのシャッタ駆動部６６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００２３】
次に、本実施形態の作用について説明する。
【００２４】
ユーザーがデジタルカメラ１０で被写体を撮影する際には、まず、電源ＳＷ２４から電源オンを入力する。これにより、デジタルカメラ１０の電源がオンされ、ＣＰＵ５０からレンズ駆動部６２へレンズ駆動の指示がなされ、レンズ１４が筐体１２の外側へ突出される。
【００２５】
下向き検出センサ２２は、電源オンの後、常時作動し、レンズ１４が鉛直下向きから３０°の範囲内であれば、下向き検出信号Ｓ２をＣＰＵ５０へ出力し、レンズ１４が鉛直下向きから３０°の範囲外であれば、非下向き検出信号をＣＰＵ５０へ出力する。
【００２６】
ＣＰＵ５０では、図５に示す下向き再生表示実行処理が行なわれている。ステップＳ１０で、下向き検出センサ２２から入力されている信号が、下向き検出信号Ｓ２かどうかを判断する。下向き検出信号Ｓ２であれば、ステップＳ１２で、外部メモリ６０に記録されている画像データを読み込み、ステップＳ１４で、読み込んだ画像データに基づいてＬＣＤ１８へ再生表示を行なうための指示を出力する。これにより、ＬＣＤ１８には、撮影対象のスルー画像表示は行なわれず、外部メモリ６０に記録されていた画像データに基づく画像が再生表示される。
【００２７】
一方、ステップＳ１０での判断が否定された場合、すなわち、下向き検出センサ２２から入力されている信号が非下向き検出信号Ｓ３である場合には、ステップＳ１６で、スルー画像表示指示を出力する。スルー画像表示指示では、ＣＣＤ制御部５８へＣＣＤ制御の指示がなされ、これにより、ＣＣＤ３６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。上述したＣＣＤ制御指示からデジタル画像データの生成までの処理が本発明での「画像の取り込み」である。画像の取り込みによって得られたデジタル画像データは、内部メモリ５２に記憶され、さらに、表示制御部５４へ出力され、表示制御部５４により所定の処理が行われて、デジタル画像データに基づく画像がＬＣＤ１８に所定のフレームレートで動画像的に連続表示される。この表示が、スルー画像表示である。
【００２８】
ステップＳ１４、及び、ステップＳ１６の終了後は、ステップＳ１０へ戻って上記処理を繰り返す。なお、いずれの場合でも、レリーズボタン１６を押下すると、ＡＥ処理、ＡＦ処理の後、露光処理が行われて静止画像が取り込まれる。
【００２９】
本実施形態の下向き再生表示実行処理によれば、図６に示すように、下に置いた書籍を撮影しようとして、レンズ１４を鉛直下向きから３０°の範囲内に向けると、ＬＣＤ１８へはスルー画像表示ではなく、再生表示が行なわれる（図６では、書籍の内容とは無関係な風景画像が再生表示されている）。したがって、ユーザーが、下に置いた書籍を撮影する場合には、ファインダ２０を覗きながら撮影するか、撮像対象をＬＣＤ１８やファインダ２０で確認せずに撮影することになる。ファインダ２０を覗きながらの撮影は、自身の目をデジタルカメラ１０のファインダ２０に近接させる必要があり、ＬＣＤ１８に撮影対象をスルー画像表示させて撮影する場合と比較して、周囲に対する目配りが難しい。また、撮像対象をＬＣＤ１８やファインダ２０で確認せずに撮影すると、必要な部分が画像として取り込まれているかどうかを確認できないため、撮影が難しい。したがって、書店で販売されている書籍を下に置いて安易に撮影することは難しくなり、デジタル万引きを抑制することができる。
【００３０】
なお、上記実施形態では、レンズ１４の向きが鉛直下向きから３０°の範囲内であっても、画像の取り込みは可能であったが、画像の取り込みを禁止することもできる。この場合には、図７に示すように、図５に示す下向き再生表示実行処理のステップＳ１４の処理後に、ステップＳ１８で、撮影禁止処理処理を行なえばよい。ここでの撮影禁止処理は、レリーズボタン１６が押下されても、ＣＰＵ５０からＡＥ処理、ＡＦ処理、及び、露光処理の指示を出力しないことにより実現される。
【００３１】
このように、画像の取り込みを禁止することにより、下に置いた書籍の撮影を確実に防止することができる。
【００３２】
また、上記のように画像の取り込みを禁止した場合に、図９に示すように、ＬＣＤ１８へ撮影不可である旨を示す撮影不可情報を表示させてもよい。この場合には、図８に示すように、図７のステップＳ２０の後に、ＬＣＤ１８へ撮影付加情報表示の指示を出力すればよい。
【００３３】
このように、撮影不可情報が表示されることにより、ユーザーは、撮影不可であることを認識することができる。
【００３４】
なお、ここでの撮影不可情報の出力は、ＬＣＤ１８への表示であったが、他に、警告ランプの点灯、警告音の発生などの態様で行なってもよい。
【００３５】
また、本実施形態では、撮像装置としてデジタルカメラを例に説明したが、本発明はカメラ付き携帯電話、ビデオカメラなどの、他のあらゆる撮像装置に適用可能である。
【図面の簡単な説明】
【００３６】
【図１】本実施形態のデジタルカメラの（Ａ）は前面図であり、（Ｂ）は背面図である。
【図２】本実施形態のデジタルカメラの制御系の概略ブロック図である。
【図３】下向き検出センサの概略図である。
【図４】本実施形態のレンズの傾きを示す図である。
【図５】本実施形態の下向き再生表示実行処理のフローチャートである。
【図６】下向き状態が検出されているときのＬＣＤへの再生表示を示す図である。
【図７】本実施形態の下向き再生表示実行処理に撮影禁止処理を付加したフローチャートである。
【図８】本実施形態の下向き再生表示実行処理に撮影禁止処理及び撮影不可情報を付加したフローチャートである。
【図９】撮影不可情報が出力された際のＬＣＤへの表示例を示す図である。
【符号の説明】
【００３７】
１０  デジタルカメラ（撮像装置）
１４  レンズ（撮像用レンズ）
１８  ＬＣＤ（表示部）
２２  下向き検出センサ（下向き検出手段）
３６  ＣＣＤ
５０  ＣＰＵ
５２  内部メモリ
６０  外部メモリ
【図１】
2005333339.tif 000003
【図２】
2005333339.tif 000004
【図３】
2005333339.tif 000005
【図４】
2005333339.tif 000006
【図５】
2005333339.tif 000007
【図６】
2005333339.tif 000008
【図７】
2005333339.tif 000009
【図８】
2005333339.tif 000010
【図９】
2005333339.tif 000011